(57)【要約】【課題】介護者の洗浄作業を減らして介護者の洗浄作業の負担を軽減することができる身体洗浄装置を提供する。【解決手段】垂直状態から水平状態に向かって傾斜可能なフレーム４と、フレーム４の下部にフレーム４に直角に固定された底板１４と、下端が底板１４の周囲に水密に固定されるとともに、上端が昇降可能な環状の昇降フレーム３０に固定された伸縮可能な筒状のフード２９と、筒状のフード２９内で底板に支持され、座席１６及び背もたれ１５が平行に間隔をおいて配置された複数のピアノ線により形成された椅子と、座席１６の下方に底板に支持され、フード内に供給されて貯水された洗浄水をプロペラで上方に噴流させる噴流発生装置２３とを備える。【選択図】図７
0003126995.tif 000002
【実用新案登録請求の範囲】
【請求項１】
垂直状態から水平状態に向かって傾斜可能なフレームと、
フレームの下部にフレームに直角に固定された底板と、  
下端が底板の周囲に水密に固定されるとともに、上端が昇降可能な環状の昇降フレームに固定された伸縮可能な筒状のフードと、
筒状のフード内で底板に支持され、座席及び背もたれが、平行に間隔をおいて配置された複数のピアノ線により形成された椅子と、
座席の下方に底板に支持され、フード内に供給されて貯水された洗浄水をプロペラで上方に噴流させる噴流発生装置とを備えたことを特徴とする身体洗浄装置。
【請求項２】
背もたれのピアノ線の下端がスプリングを介して弾力調整可能に張設されていることを特徴とする請求項１記載の記載の身体洗浄装置。
【請求項３】
底板、座席及び昇降フレームのそれぞれが中央からフレーム側に倒立可能に二つの部材を接続して形成されていることを特徴とする請求項１又は２記載の身体洗浄装置。
【請求項４】
洗浄液噴流装置のプロペラの上方に噴流角度が調整可能な複数のブレードが配置されていることを特徴とする請求項１、２又は３記載の記載の身体洗浄装置。
【考案の詳細な説明】
【技術分野】
【０００１】
本考案は、体が不自由な人などの身体を介護者が直接洗う作業の負担を軽減することができる身体洗浄装置に関する。
【背景技術】
【０００２】
自分で身体を洗うことが困難な体の不自由な人などは介護者が体を洗っている。介護者は被洗浄者を洗いやすいように動かしたり、あるいは無理な姿勢で洗ったりする必要があるため、洗浄作業はきわめて重労働である。この洗浄作業を軽減するためにいろいろな洗浄装置が提案されている。
【０００３】
例えば、特許文献１には、高齢者など体の不自由な人に対する入浴適性を高めるための入浴装置が記載されている。この入浴装置は、略水平状態の姿勢と傾斜状態の姿勢の設定が選択可能で、傾斜状態において入浴者が腰を降ろせる座部が設けられた姿勢可変式の浴槽を具備し、この浴槽内面の前端側に、傾斜状態においては略水平となって入浴者が立つことができる足置き部を設けるとともに、足置き部を、浴槽が傾斜状態にある場合において浴槽端縁より低くなるように設けられ、浴槽内の入浴者が全身シャワーを浴びることができる全身シャワー手段が浴槽に配設されている。
【０００４】
また、特許文献２には、入浴することが困難な人に対して、シャワー入浴を容易にし、しかもシャワー入浴によって身体を温めることと、介護者の負担を軽減する介護シャワー装置が記載されている。このシャワー装置は、環状に配置した内側に微細な噴射穴を持ち、中心部に向かって噴射するシャワーを設け、この環状のシワーの外側全体をとりかこむカーテンを設け、入浴者は椅子に座った状態でシャワーを浴びる。
【特許文献１】特開平１１−１１４００５号公報
【特許文献２】特開２０００−７９１５２号公報
【考案の開示】
【考案が解決しようとする課題】
【０００５】
特許文献１記載の入浴装置では、入浴者とお湯が満たされた浴槽を回転させて傾斜させる機構が必要であるため装置が複雑となる。また、入浴者の、浴槽内に浸かっている部分は、従来と同様に介護者に洗浄してもらう必要があるため、介護者の洗浄作業負担を大幅に軽減することができない。
【０００６】
また、特許文献２記載のシャワー装置も、上方の環状のシャワーのみであるために身体をきれいに洗浄するためには、従来と同様に介護者に洗浄してもらう必要があるため、介護者の洗浄作業を大幅に軽減することができない。
【０００７】
そこで、本考案は、介護者の洗浄作業を減らして介護者の洗浄作業の負担を軽減することができる身体洗浄装置を提供するものである。
【課題を解決するための手段】
【０００８】
本考案は、垂直状態から水平状態に向かって傾斜可能なフレームと、フレームの下部にフレームに直角に固定された底板と、下端が底板の周囲に水密に固定されるとともに、上端が昇降可能な環状の昇降フレームに固定された伸縮可能な筒状のフードと、筒状のフード内で底板に支持され、座席及び背もたれが、平行に間隔をおいて配置された複数のピアノ線により形成された椅子と、座席の下方に底板に支持され、フード内に供給されて貯水された洗浄水をプロペラで上方に噴流させる噴流発生装置とを備えたことを特徴とする。
【０００９】
底板、座席及び昇降フレームのそれぞれが中央からフレーム側に倒立可能に二つの部材を接続して形成し、背もたれのピアノ線の下端がスプリングを介して弾力調整可能に張設し、洗浄液噴流装置のプロペラの上方に噴流角度が調整可能な複数のブレードを配置することができる。
【考案の効果】
【００１０】
本考案の身体洗浄装置は、伸縮可能な筒状のフードで身体洗浄装置本体を囲い、その後は噴流装置で被洗浄者を介護者の手を煩わせることなく洗浄できるので、介護者の洗浄作業を大幅に軽減することができる。
【００１１】
隙間をおいて複数のピアノ線が張設された椅子を使用するので、被洗浄者の下側から噴流を当てるとともに、噴流角度を調整することにより効率よく洗浄することができる。
【考案を実施するための最良の形態】
【００１２】
本考案の身体洗浄装置の一実施例を図面を参照しながら説明する。
【実施例】
【００１３】
図１は本考案の身体洗浄装置の要部を示す側面図、図２は本考案の身体洗浄装置の要部を示す正面図、図３は底板を示す平面図、図４（ａ）は椅子の正面図、（ｂ）は側面図である。
【００１４】
図１〜図３において、浴室等の壁１に一対の固定フレーム２が垂直かつ平行に固定され、固定フレーム２は断面Ｕ字形の溝が形成され、溝内に身体洗浄装置本体３を支持する支持フレーム４の上端がスライド自在に配置される。固定フレーム２の側面には、所定の高さに位置させた支持フレーム４の下降を防ぐために支持フレーム４の下側に固定ピン５を通す固定ピン挿通孔６が形成される。
【００１５】
支持フレーム４は固定フレーム２に合わせて平行に一対設けられ、等間隔で配置した横フレーム７で連結される。最上部の横フレーム７は支持フレーム２を上下動させるためのウインチ８のワイヤ９が滑車を介して吊り下げられる。支持フレーム４の下端には支持フレーム４の上下動により床１１を転動するローラ１２が設けられる。ウインチ８のハンドル１０を回してワイヤ９を巻き取りあるいは巻き戻して支持フレーム４の上部を上下動させ床１１をローラ１２が転動して支持フレーム４を垂直状態の待機位置から水平状態に向かって傾斜あるいは垂直の待機位置へ戻す。支持フレーム２を位置決めした際には、支持フレーム４の下側に固定ピン挿通孔６へ固定ピン５を通して支持フレーム４が下降しないようにする。
【００１６】
支持フレーム４の下部には底板が設けられ、底板は支持フレーム４に直交して固定された固定底板１３と、固定底板側に倒立可能に接続された足を載せる可動底板１４からなる。可動底板１４を倒立させることにより収納時の幅を小さくできるようにする。固定底板１３にはフード内の洗浄水を排水する開閉弁３４を設ける。
【００１７】
図４において、固定底板１３には一対の椅子の背もたれ１５が垂直に固定され、背もたれ１５に座席１６が高さ調節自在に取り付けられる。座席１６の高さ調節は、例えば、背もたれ１５のフレームに固定された鋸刃状の段部１８が形成されたフレーム１７にスライド自在のスライダー１９を座席１６の端部に固定し、スライダー１９を上下動させて所望の高さに位置させた後、スライダー１９にピン２０を押し込んで段部１８に掛けて固定する。座席には必要に応じて倒立可能に手すりを設けてもよい。
【００１８】
座席１６は、身体洗浄装置の収納時にほぼ中央で背もたれ側に倒立するようにして収納幅を小さくできるようにする。背もたれ１５及び座席１６は、被洗浄者が違和感なく座れ、且つ背もたれできるとともに、下方から噴流する洗浄水が通過できる間隔（例えば、２ｍｍ前後）で平行に複数のピアノ線２１を張って形成する。ピアノ線２１の下端は背もたれに弾力性を持たせるためにスプリング２２を介して弾力を調整可能に固定される。
【００１９】
洗浄液噴流装置２３は固定底板１３に水密に固定されたケーシング２４内のモータ２５により回転するプロペラ２６が座席１６の下方に配置される。プロペラ２６は回転速度を可変にして噴流速度を調整できる用にする。プロペラ２６の上方にはブレード２７がケーシング２４に取り付けられる。ブレード２７はフレキシブルホース２８のワイヤの端を操作することにより角度が調整可能になっており、ブレード２７の角度を変えることにより上方に噴流される洗浄液の方向を変えることができる。
【００２０】
洗浄装置本体３は、昇降により伸縮する防水性のシートからなる筒状のフード２９で取り囲まれる。筒状のフード２９の下端は固定底板１３及び可動底板１４の全周縁に水密状態に取り付けられ、筒状のフード２９の上部は昇降可能な環状のフード昇降フレーム３０の全周縁に水密状態に取り付けられる。フード昇降フレーム３０の上部からはフード２９を延ばして被洗浄者の首回りを覆うことができるようにする。フード２９には、洗浄水を供給するシャワー３３が出し入れ可能な開口を形成する。
【００２１】
フード昇降フレーム３０は、固定底板１３に立設したガイドフレーム３１に沿って昇降可能に設けられる。フード昇降フレーム３０は、身体洗浄装置の収納時にガイドフレーム３１の上端で垂直に起立できるようにして、収納時の幅を小さくできるようにする。
【００２２】
前記構成からなる身体洗浄装置の使用方法について説明する。
【００２３】
身体洗浄装置は、図１に示すように、待機状態において、支持フレーム４が固定フレーム２とほぼ平行に垂直の状態にあり、座席１６、可動底板１４が倒立状体にあり、また、フード２９は、フード昇降フレーム３０がガイドフレーム３１の上部へ上昇し起立してフードが半分に畳まれた状態にある。
【００２４】
洗浄を始める際には、図１に示す状態から図５に示す状態にするため、フード２９の上部を固定するフード昇降フレーム３０とフード２９の上部を固定する可動底板１４を倒してフード２９を拡げた後、フード昇降フレーム３０をガイドフレーム３１に沿って降ろして下方で畳み、座席１６を倒した状態にし、高さを調整してピン２０で固定する。その後、介護者は被洗浄者３２を座席１６へ着席させる。
【００２５】
図６、図７に示すように、被洗浄者３２が着席した後、フード昇降フレーム３０をガイドフレーム３１の上端まで上昇させ、フード２９の上部を被洗浄者３２の首回りに固定する。
【００２６】
次いで、図７に示すように、支持フレーム４をウインチ８のハンドル１０を回転させてワイヤ９を巻き戻して、背もたれ１５に噴流が当たる位置まで傾斜させた後、固定ピン５で固定する。
【００２７】
こうして洗浄可能にセットが完了すると、フード２９内にシャワー３３から洗浄水が供給され、洗浄水が洗浄液噴流装置２３のプロペラ２６を超えると、プロペラ２６を回転させることにより噴流を発生させ、噴流速度を変化させるとともに、ブレード２７の角度をフレキスブルホース２８のワイヤで調整して被洗浄者３２に背もたれ１５及び座席１６のピアノ線の隙間を通して当てることにより洗浄を行う。洗浄水には、洗剤として、例えば米糠を混ぜることにより洗浄効果を増すことができる。また、被洗浄者３２の表側もシャワー３３により洗浄する。洗浄後、洗浄水を入れ替えて洗剤を落とす。
【００２８】
洗浄が終了すると、洗浄水を固定底板１３の排水弁３４を開いて排水する。排水後、フード昇降フレーム３０を下降させて下方で折り畳んだ後、被洗浄者３２をフード２９の外側に移動させる。
【００２９】
その後、座席１６を背もたれ１５側に起こし、フード昇降フレーム３０をガイドフレーム３１に沿って上昇させ、フード昇降フレーム３０を起立させるとともに、可動底板１４を起立させてフード２９を畳む。
【００３０】
フード２９を畳んだ後、支持フレーム４をウインチ８のハンドル１０を回転させてワイヤ９を巻き取って起こして図１に示す待機状態にする。
【図面の簡単な説明】
【００３１】
【図１】本考案の身体洗浄装置の要部を示す側面図である。
【図２】本考案の身体洗浄装置の要部を示す正面図である。
【図３】底板を示す平面図である。
【図４】（ａ）は本考案の身体洗浄装置の椅子の正面図、（ｂ）は同側面図である。
【図５】本考案の身体洗浄装置使用方法の説明図である。
【図６】本考案の身体洗浄装置使用方法の説明図である。
【図７】本考案の身体洗浄装置使用方法の説明図である。
【符号の説明】
【００３２】
１：壁                  ２：固定フレーム
３：身体洗浄装置本体    ４：支持フレーム
５：固定ピン            ６：固定ピン挿通孔
７：横フレーム          ８：ウインチ
９：ワイヤ            １０：ハンドル
１１：床                １２：ローラ
１３：固定底板          １４：可動底板
１５：背もたれ          １６：座席
１７：フレーム          １８：段部
１９：スライダー        ２０：ピン
２１：ピアノ線          ２２：スプリング
２３：洗浄液噴流装置    ２４：ケーシング
２５：モータ            ２６：プロペラ
２７：ブレード          ２８：フレキシブルホース
２９：フード            ３０：フード昇降フレーム
３１：ガイドフレーム    ３２：被洗浄者
３３：シャワー          ３４：排水弁
【図１】
0003126995.tif 000003
【図２】
0003126995.tif 000004
【図３】
0003126995.tif 000005
【図４】
0003126995.tif 000006
【図５】
0003126995.tif 000007
【図６】
0003126995.tif 000008
【図７】
0003126995.tif 000009